(57)【要約】【課題】  表示修正機構付き時計において、修正機構を構成する部品の耐久性能を向上させる。【解決手段】  表示修正機構付き時計は日車２５２と、日車２５２を修正するための巻真１１８と、巻真と同軸になるように配置された修正伝え車２８１と、弾性材料で形成されかつ修正伝え車２８１と連動する修正伝えばね２８０と、修正伝え車２８１及び修正伝えばね２８０の回転に基づいて作動して、日車２５２を修正する修正車２５９とを備える。日車２５２を修正する位置に巻真をセットして巻真を回転させると、修正伝え車２８１及び修正伝えばね２８０は一体回転して修正車２５９を作動させ、日車２５２を修正する。【選択図】      図１
2005214657.tif 000002
【特許請求の範囲】
【請求項１】
表示部材が表示している表示内容を修正する機構を備えた表示修正機構付き時計において、
時計の輪列の回転に基づいて回転して、情報を表示するための表示部材（２５２）と、
前記表示部材（２５２）の表示内容を修正するための巻真（１１８）と、
前記巻真（１１８）と同軸になるように配置された修正伝え車（２８１）と、
弾性材料で形成され、かつ、前記修正伝え車（２８１）と連動する修正伝えばね（２８０）と、
前記修正伝え車（２８１）および前記修正伝えばね（２８０）の回転に基づいて作動して、前記表示部材（２５２）の表示内容を修正するための修正部材（２５９）とを備え、
前記表示部材の表示内容を修正するための位置に前記巻真（１１８）をセットした状態において、前記巻真（１１８）を回転させることにより、前記修正伝え車（２８１）および前記修正伝えばね（２８０）は一体となって回転して前記修正部材（２５９）を作動させ、前記表示部材（２５２）が表示している表示内容を修正することができるように構成される、
ことを特徴とする表示修正機構付き時計。
【請求項２】
キー溝（１１８ｋ）が前記巻真（１１８）に設けられ、
キー部（２８０ｄ）が前記修正伝えばね（２８０）に設けられ、
前記表示部材の表示内容を修正するための位置に前記巻真（１１８）をセットした状態において、前記キー部（２８０ｄ）は前記キー溝（１１８ｋ）の中に入り、前記巻真（１１８）を回転させることにより、前記修正伝え車（２８１）および前記修正伝えばね（２８０）は一体となって回転するように構成され、
前記表示部材の表示内容を修正するための位置以外の位置に前記巻真（１１８）をセットした状態において、前記キー部（２８０ｄ）は前記キー溝（１１８ｋ）の中に入らず、前記巻真（１１８）を回転させても、前記修正伝え車（２８１）および前記修正伝えばね（２８０）は回転しないように構成される、
ことを特徴とする、請求項１に記載の表示修正機構付き時計。
【請求項３】
複数のキー溝（１１８ｋ）が、前記巻真（１１８）の外周部に等間隔で配置されることを特徴とする、請求項２に記載の表示修正機構付き時計。
【請求項４】
前記修正伝えばね（２８０）は、Ｃ字形に形成されたベース部（２８０ｂ）と、ベース部（２８０ｂ）の一方の端部に対して垂直に形成された位置決め部（２８０ｃ）と、位置決め部（２８０ｃ）の先端に設けられたキー部（２８０ｄ）とを含むことを特徴とする、請求項２に記載の表示修正機構付き時計。
【請求項５】
前記修正伝え車（２８１）は、リング状の本体筒部（２８１ｂ）と、複数の歯部（２８１ｃ）と、本体筒部（２８１ｂ）に設けられた中心穴（２８１ｄ）と、本体筒部（２８１ｂ）の一方の面に形成された環状帯部（２８１ｅ）と、環状帯部（２８１ｅ）に形成された溝部（２８１ｆ、２８１ｇ）とを含むことを特徴とする、請求項２に記載の表示修正機構付き時計。
【請求項６】
前記修正伝え車（２８１）と噛合う第２の修正伝え車（２８２）を備え、該第２の修正伝え車（２８２）は前記巻真（１１８）の中心軸線にオーバーラップするように配置されることを特徴とする、請求項５に記載の表示修正機構付き時計。
【請求項７】
前記表示部材（２５２）は日車（２５２）であり、前記第２の修正伝え車（２８２）の回転中心は、前記日車（２５２）の歯先円よりも外側に配置されるように構成されることを特徴とする、請求項６に記載の表示修正機構付き時計。
【請求項８】
前記表示部材（２５２）の表示内容と異なる第２の情報を表示するための表示車（１９０）を更に備え、該表示車（１９０）の回転中心は、前記日車（２５２）の歯先円よりも内側に配置され、前記表示車（１９０）は前記巻真（１１８）の中心軸線にオーバーラップするように配置されることを特徴とする、請求項７に記載の表示修正機構付き時計。
【発明の詳細な説明】
【技術分野】
【０００１】
本発明は、カレンダ表示などの表示を修正するための機構を備えた表示修正機構付き時計に関する。特に、本発明は、巻真と連動するばねを含むカレンダ修正機構を備えたカレンダ修正機構を有する表示修正機構付き時計に関する。
【背景技術】
【０００２】
（１）従来の第１タイプの時計
従来の第１タイプの表示修正機構付き時計は、巻真と、巻真に組み込まれた暦修正伝え車と、暦修正伝え車に噛合いかつ偏心ピンを保持する暦修正車と、暦修正車の回転により偏心ピンと摩擦係合して日車または曜車を修正する暦修正部材とを備える。暦修正伝え車はプラスチック材で形成され、地板の溝の中に配置され、常に暦修正車と噛合っている。巻真が軸方向の修正位置にあるとき、巻真の径大部が暦修正伝え車の径小部に直接摩擦係合して、巻真の回転を暦修正車に伝達することができる（例えば、特許文献１参照）。
【０００３】
（２）従来の第２タイプの時計
従来の第２タイプの表示修正機構付き時計は、巻真の軸方向の移動と、巻真の回転に連動するツヅミ車の外周側周面に角型凸部を形成している。修正伝え車の角型凸部と対向する側には、角型凹部が形成されている。付加機能を修正するとき、カンヌキがツヅミ車と修正伝え車を時計の外周方向に弾性力により押しつける。（例えば、特許文献２参照）。
（３）従来の第３タイプの時計
従来の第３タイプの時計の暦修正装置は、位置決めの為に設けられた少なくとも１つ以上の溝部と、伝達車に噛合うかなと、前記かなと溝部との間に設けられた面取り部とを有する巻真軸上に、日車に直接噛合う第１修正歯と、曜星車に直接又は間接的に係合する第２修正歯と、前記巻真の面取り部に係合して巻真の回転を受ける突起部を有する暦修正車を摺動可能に設け、かつ、前記修正車を巻真引き出し方向へ押圧するばね部材と、前記暦修正車の位置を規正する位置決め部材とを備えている（例えば、特許文献３参照）。
【０００４】
【特許文献１】実公昭６４−６２７号公報（第１〜３頁、第１図〜第５図参照）
【特許文献２】特開平９−６１５５２号公報（第２〜５頁、図１〜図６参照）
【特許文献３】特開昭６０−２７８８４号公報(第１〜２頁、第１図〜第４図参照)
【発明の開示】
【発明が解決しようとする課題】
【０００５】
従来の第１タイプの修正機構付き時計では、修正の操作を行うたびに巻真の径大部（角部）を暦修正伝え車の径小部に幾度も繰り返して出入りさせるので、暦修正伝え車の径小部が広がり、巻真の回転を暦修正伝え車に十分に伝えることができなくなる課題が生じていた。また、従来の第２タイプの修正機構付き時計では、カンヌキの構造が複雑になり、さらに、ツヅミ車と連動する手巻機構を構成するきち車を設けるのが難しいという課題が生じていた。従来の第３タイプの時計の暦修正装置では、暦修正車の構造が複雑になり、修正車を巻真引き出し方向へ押圧するばね部材と、暦修正車の位置を規正する位置決め部材が必要であるという課題が生じていた。
【０００６】
本発明の目的は、表示修正機構付き時計、特に、カレンダ修正機構付き時計において、修正機構を構成する部品の耐久性能を向上させることにある。本発明の他の目的は、表示修正機構付き時計において、カレンダ修正機構を構成する部品の構造を簡素化し、カレンダ修正機構を構成する部品の数を少なくすることにある。
【課題を解決するための手段】
【０００７】
本発明は、表示部材が表示している表示内容を修正する機構を備えた表示修正機構付き時計において、時計の輪列の回転に基づいて回転して、情報を表示するための表示部材と、表示部材の表示内容を修正するための巻真と、巻真と同軸になるように配置された修正伝え車と、弾性材料で形成されかつ修正伝え車と連動する修正伝えばねと、修正伝え車および修正伝えばねの回転に基づいて作動して、表示部材の表示内容を修正するための修正部材とを備えるように構成した。本発明の表示修正機構付き時計では、表示部材の表示内容を修正するための位置に巻真をセットした状態において、巻真を回転させることにより、修正伝え車および修正伝えばねは一体となって回転して修正部材を作動させ、表示部材が表示している表示内容を修正することができるように構成されることを特徴とする。この構成により、プラスチックで形成された修正車の穴部に巻真の角部出入りすることがないので、修正機構を構成する部品の耐久性能を向上させることができる。
【０００８】
表示部材は、例えば、日車、曜表示車、曜車、２４時表示車、月表示車、月齢表示車などである。さらに、本発明は、時修正機構（時差修正機構）などを備えた種々の表示修正機構付き時計に広く適用することができる。本発明の表示修正機構付き時計では、キー溝が巻真に設けられ、キー部が修正伝えばねに設けられ、表示部材の表示内容を修正するための位置に巻真をセットした状態（例えば、１段目）において、キー部はキー溝の中に入り、巻真を回転させることにより、修正伝え車および修正伝えばねは一体となって回転するように構成され、表示部材の表示内容を修正するための位置以外の位置に巻真をセットした状態（例えば、０段目および２段目）において、キー部はキー溝の中に入らず、巻真を回転させても、修正伝え車および修正伝えばねは回転しないように構成されるのが好ましい。このような修正機構は、その構成部品の構造が簡素であり、きち車とつづみ車と連動させることが容易である。
【０００９】
また、本発明の表示修正機構付き時計では、複数のキー溝が、巻真の外周部に等間隔で配置されるのが好ましい。また、本発明の表示修正機構付き時計では、修正伝えばねは、Ｃ字形に形成されたベース部と、ベース部の一方の端部に対して垂直に形成された位置決め部と、位置決め部の先端に設けられたキー部とを含むのが好ましい。また、本発明の表示修正機構付き時計では、修正伝え車は、リング状の本体筒部と、複数の歯部と、本体筒部に設けられた中心穴と、本体筒部の一方の面に形成された環状帯部と、環状帯部に形成された溝部とを含むのが好ましい。この修正伝え車は、金属で形成することができるし、プラスチックで形成することもできる。
【００１０】
また、本発明の表示修正機構付き時計は、修正伝え車と噛合う第２の修正伝え車を備え、該第２の修正伝え車は巻真の中心軸線にオーバーラップするように配置されるのが好ましい。また、本発明の表示修正機構付き時計では、表示部材は日車であり、前記第２の修正伝え車の回転中心は、日車の歯先円よりも外側に配置されるのが好ましい。また、本発明の表示修正機構付き時計では、表示部材の表示内容と異なる第２の情報を表示するための表示車を更に備え、該表示車の回転中心は、日車の歯先円よりも内側に配置され、表示車は巻真の中心軸線にオーバーラップするように配置されるのが好ましい。この構成により、小型で薄型のムーブメントの中に、表示機構と、表示修正機構とを効果的に配置することができる。
【発明の効果】
【００１１】
本発明の表示修正機構付き時計では、プラスチックで形成された修正車の穴部に巻真の角部出入りすることがないので、修正車の穴部が摩耗するおそれがなくなり、修正機構を構成する部品の耐久性能を向上させることができる。また、本発明の表示修正機構付き時計は、修正機構を構成する部品の構造が簡素であり、きち車とつづみ車と連動させることが容易である。
【発明を実施するための最良の形態】
【００１２】
以下に、本発明の表示修正機構付き時計の実施の形態を図面に基づいて説明する。以下に説明する本発明の時計の実施の形態は、日車を修正するためのカレンダ修正機構を備えた表示修正機構付き時計の構成について述べているけれども、本発明は、日車を修正する機構を有する表示修正機構付き時計だけでなく、曜表示車、曜車、２４時表示車、月表示車、月齢表示車などを修正する機構や、時修正機構（時差修正機構）などを備えた種々の表示修正機構付き時計に広く適用することができる。また、以下に説明する本発明の時計の実施の形態は、自動巻機構を備えた機械式時計の構成について述べているけれども、本発明は、電池や直流電源、交流電源などで駆動される電気時計、電子時計などの種々の表示修正機構付き時計に広く適用することができる。また、以下に説明する本発明の時計の実施の形態は、日車を修正する機構を有する表示修正機構付き時計について述べているけれども、本発明は、指針を取り付けた表示車などの種々の表示部材を含む修正機構付き時計に広く適用することができる。
【００１３】
（１）第１の実施の形態
（１・１）ムーブメントの全体構成
最初に、本発明の表示修正機構付き時計の第１の実施の形態について説明する。この第１の実施の形態は、カレンダ修正機構付き時計に関するものである。図１〜図４を参照すると、本発明のカレンダ修正機構付き時計はムーブメント１００を備える。「ムーブメント」とは、駆動部分を含む時計の機械体を示す。また、「コンプリート」とは、時計のムーブメントに文字板、指針（時針、分針、秒針など）、りゅうずなどを取り付けて時計ケース（時計外装）に収容した時計の完成体を示す。ムーブメント１００は、地板１０２、第二地板１１２、日車押え１１６を含む。ムーブメント１００において、「表側」とは、地板１０２の両面のうちで、時計ケースのガラスから遠い方の側、すなわち、「裏蓋側」を示す。ムーブメント１００において、「裏側」とは、地板１０２の両面のうちで、時計ケースのガラスに近い方の側、すなわち、「文字板側」を示す。ムーブメント１００は、さらに、輪列受１０３と、一番受１０４と、二番受１０５と、アンクル受１０６と、てんぷ受１０７とを備える。第二地板１１２、日車押え１１６は地板１０２の裏側に配置される。文字板１１０が第二地板１１２のガラス側に配置される。文字板１１０は文字板受リング１０９を介して地板１０２に取付けられる。巻真１１８が地板１０２に回転可能で、軸線方向に移動可能なように組み込まれる。
【００１４】
ムーブメント１００の表側には、表輪列と、脱進機構と、調速機構と、自動巻機構と、手巻機構と、切換装置とが配置される。或いは、切換装置はムーブメント１００の裏側に配置してもよい。或いは、ムーブメント１００の表側に手巻機構を配置し、自動巻機構を省略してもよい。ムーブメント１００の裏側には、裏輪列と、日表示機構と、日修正機構とが配置される。必要ならば、ムーブメント１００の裏側には、曜表示機構、曜修正機構、２４時表示機構、月表示機構、月齢表示機構、ぜんまい巻き状態表示機構などのうちのいずれかなどを配置してもよい。表輪列は地板１０２、一番受１０４、二番受１０５に対して回転可能に支持される。裏輪列は地板１０２、第二地板１１２、日車押え１１６に対して回転可能に支持される。
【００１５】
（１・２）表輪列の構成
次に、表輪列の構成について説明する。図１〜図３を参照すると、香箱車１２０が一番受１０４及び地板１０２に対して回転可能に支持される。香箱車１２０は、ぜんまい（図示せず）を有する。ぜんまいは機械式時計の動力源を構成する。ぜんまいが巻き戻される（解放される）ことにより、香箱車１２０の香箱歯車は１つの方向に回転し、表輪列及び裏輪列の回転を介して、指針（時針、分針、秒針など）により時刻情報を表示する。ぜんまいの動力により回転する香箱歯車の回転は、調速装置及び脱進装置によって制御される。調速装置はてんぷ１４２を含む。脱進装置はアンクル１４４及びがんぎ車１４６を含む。てんぷ１４２はてんぷ受１０７及び地板１０２に対して回転可能に支持される。アンクル１４４はアンクル受１０６及び地板１０２に対して回転可能に支持される。がんぎ車１４６は一番受１０４及び地板１０２に対して回転可能に支持される。香箱歯車の回転により、二番車１２２（図４参照）が１時間に１回転するように構成される。二番車１２２は二番受１０５及び地板１０２に対して回転可能に支持される。二番車１２２の回転により、三番車１２４が回転するように構成される。
【００１６】
三番車１２４は一番受１０４及び地板１０２に対して回転可能に支持される。三番車１２４の回転により、四番車１２６が１分間に１回転するように構成される。四番車１２６は一番受１０４及び地板１０２に対して回転可能に支持される。四番車１２６の回転速度は、がんぎ車１４６により制御されるように構成される。がんぎ車１４６の回転速度は、アンクル１４４により制御されるように構成される。アンクル１４４の揺動運動は、てんぷ１４２により制御されるように構成される。てんぷ規正レバー１４０が、てんぷ１４２の作動を規正させるために設けられる。すなわち、巻真１１８を２段目にした状態では、てんぷ規正レバー１４０は、てんぷ１４２の天輪１４２ｃに接触し、天輪１４２ｃの回転を停止させることができるように構成される。表輪列は、二番車１２２、三番車１２４、四番車１２６を含む。二番車１２２の筒かな（図示せず）に取付けられた分針（図示せず）が「分」を表示するように構成される。四番車１２６に取付けられた秒針（図示せず）が「秒」を表示するように構成される。四番車１２６の回転中心と二番車１２２の回転中心とは同じ位置にあるように構成される。
【００１７】
角穴車１３０の角穴部が、香箱車１２０の香箱真の上方部（一番受１０４がある方の側）に設けられた角軸部に組み込まれる。角穴止めねじ１３２により、角穴車１３０は香箱真１２０ｃと一体になって回転するように支持される。角穴車１３０は香箱車１２０の回転する方向と同一の方向にのみ回転することができる。角穴車の回転規正部材を構成するこはぜ１３１が、角穴車１３０の回転を１つの方向のみに規正するために一番受１０４に設けられる。こはぜ１３１により、角穴車１３０が香箱車１２０の回転する方向と反対の方向に回転するのを阻止することができる。手巻機構は、つづみ車２７２と、きち車１３３と、丸穴車１３４と、丸穴伝え車１３５とを含む。丸穴車１３４は一番受１０４の裏面に対して回転可能に支持される。丸穴伝え車１３５は一番受１０４の裏面に対して回転可能に支持される。つづみ車２７２の１つの方向の回転により、きち車１３３が回転するように構成される。きち車１３３の回転により、丸穴車１３４の回転を介して丸穴伝え車１３５が回転するように構成される。丸穴伝え車１３５の回転により、角穴車１３０が時計回り方向に回転するように構成される。角穴車１３０が回転することにより、ぜんまいを巻くことができるように構成される。
【００１８】
（１・３）自動巻機構の構成
次に、自動巻機構の構成について説明する。図２において、ぜんまいを巻き上げるための自動巻機構がムーブメント１００の表側に設けられる。自動巻機構は、回転錘２１０と、一番伝え車２１２と、つめレバー２１４と、二番伝え車２１６とを含む。回転錘２１０はボールベアリング２１０ｂを介して一番受１０４に回転可能に組み込まれる。一番伝え車２１２は一番受１０４及び地板１０２に対して回転可能に支持される。一番伝え車２１２の歯車部は回転錘２１０の回転錘かな２１０ｃに噛み合うように構成される。つめレバー２１４の基部の穴（図示せず）が、一番伝え車２１２の偏心カム部分（図示せず）に回転可能に組み込まれる。つめレバー２１４は２つのつめ部分、すなわち引きつめ２１４ｆと、押しつめ２１４ｇとを有する。二番伝え車２１６は一番受１０４に対して回転可能に支持される。つめレバー２１４の引きつめ２１４ｆと、押しつめ２１４ｇは、二番伝え車２１６のラチェット歯（図示せず）に噛合うように構成される。回転錘２１０が回転すると、一番伝え車２１２が回転して、つめレバー２１４を作動させるように構成される。つめレバー２１４の引きつめ２１４ｆは、二番伝え車２１６を１つの方向（図２において反時計回り方向）にのみ回転させることができるように構成される。つめレバー２１４の押しつめ２１４ｇは、二番伝え車２１６を１つの方向（図２において反時計回り方向）にのみ回転させることができるように構成される。したがって、回転錘２１０が回転すると、つめレバー２１４が作動し、二番巻伝え車２１６の回転に基づいて、角穴車１３０が時計回り方向に回転するように構成される。その結果、回転錘２１０が回転すると、自動巻機構の作動により、ぜんまいを巻きあげることができる。
【００１９】
（１・４）裏輪列の構成
次に、裏輪列の構成について説明する。図４を参照すると、裏輪列は、日の裏車２３０と、筒車２３２とを含む。日の裏車２３０は地板１０２に対して回転可能に支持される。二番車１２２の回転により、日の裏車２３０が回転するように構成される。日の裏車２３０の回転により、筒車２３２が１２時間で１回転するように構成される。筒車２３２に取付けられた時針（図示せず）が「時」を表示する。筒車２３２の回転中心と二番車１２２の回転中心とは同じ位置にあるように構成される。日の裏車２３０の回転中心は地板基準垂直軸線２０５の上に配置されるのが好ましい。
【００２０】
（１・５）切換機構の構成
次に、切換機構の構成について説明する。本発明の時計では、時計の時刻を合わせるために、切換機構と、時刻合わせ機構とが設けられている。図１および図３を参照すると、切換機構は、おしどり２３６、かんぬき２３７、かんぬき押え２３８を含むように構成される。おしどり２３６、かんぬき２３７、かんぬき押え２３８は、地板１０２に対して作動可能なように支持される。時刻合わせ機構は、巻真１１８と、つづみ車２７２とを含む。巻真１１８は、先端部から外方部に向かって順番に形成された、先端軸部１１８ａ、角軸部１１８ｂ、きち車案内部１１８ｃ、修正伝達部１１８ｄ、第１修正伝え車案内部１１８ｅ、おしどり内壁部１１８ｆ、おしどり受け入れ部１１８ｇ、おしどり外壁部１１８ｈ、などを含む。巻真１１８の修正伝達部１１８ｄのムーブメント１００の内側方向の部分には、内側斜面１１８ｍが設けられるのが好ましい。巻真１１８の修正伝達部１１８ｄのムーブメント１００のの外側方向の部分には、外側斜面１１８ｎが設けられるのが好ましい。巻真１１８の先端軸部１１８ａは地板１０２の巻真先端穴に対して回転可能に支持される。
【００２１】
つづみ車２７２の角穴部は巻真１１８の角軸部１１８ｂに組み込まれる。おしどり２３６の巻真接触部は、巻真１１８のおしどり内壁部１１８ｅと、おしどり外壁部１１８ｇとの間に位置する。巻真１１８の中心軸線にそう方向における巻真１１８の位置は、切換装置（おしどり、かんぬき押えなど）により定められる。巻真１１８の中心軸線にそう方向におけるつづみ車２７２の位置は、切換装置（おしどり、かんぬき、かんぬき押えなど）により定められる。つづみ車２７２は、ムーブメント１００の中心部に近い方に位置する甲歯２７２ａと、ムーブメント１００の外形部に近い方に位置する乙歯２７２ｂとを備える。つづみ車２７２の乙歯２７２ｂはラチェット歯車で構成される。きち車１３３の中心穴部は、巻真１１８のきち車案内部１１８ｃに対して回転可能なように組み込まれる。きち車１３３は、つづみ車２７２の乙歯２７２ｂと噛合うことが出来るように構成されたきち小歯車１３３ｂと、丸穴車１３４の歯車部と噛合うことが出来るように構成されたきち大歯車１３３ｃとを備える。きち小歯車１３３ｂはラチェット歯車で構成される。てんぷ規正レバー１４０の作動は、おしどり２３６の回転により制御される。
【００２２】
巻真１１８を０段目にした状態、および、巻真１１８を１段目にした状態では、つづみ車２７２の甲歯２７２ａは日の裏車２３０の歯車部と噛合わないように構成される。巻真１１８を０段目にした状態では、つづみ車２７２の乙歯２７２ｂはきち車１３３の小歯車１３３аと噛合うように構成される。巻真１１８を２段目にした状態では、つづみ車２７２の甲歯２７２ａは日の裏車２３０の歯車部と噛合うように構成される。巻真１１８を２段目にした状態では、つづみ車２７２の乙歯２７２ｂはきち車１３３の小歯車１３３аと噛合わないように構成される。巻真１１８を０段目にした状態で、巻真１１８を１つの方向に回転させると、巻真１１８とともにつづみ車２７２が回転し、きち車１３３、丸穴車１３４、丸穴伝え車１３５の回転を介して、角穴車１３０が回転して、ぜんまいを巻き上げることができるように構成される。巻真１１８を０段目にした状態で、巻真１１８を他の方向に回転させると、巻真１１８とともにつづみ車２７２が回転するが、きち車１３３は回転しないように構成される。
【００２３】
（１・６）日車送り機構の構成
次に、日車送り機構の構成について説明する。図１および図４を参照すると、カレンダ付き時計では、裏輪列の回転に基づいて日車送り機構が作動するように構成される。日車送り機構は、日回し車２５０と、日回し中間車２５１と、日車２５２とを含む。筒車２３２の回転により、日回し中間車２５１が回転するように構成される。日回し中間車２５１の回転により、日回し車２５０が回転するように構成される。日回し車２５０に設けられた日送りつめ２５０ｂにより、日車２５２を１日に１度、（１／３１）回転させるように構成される。日車２５２は３１日間で１回転するように構成される。日車２５２の回転方向の位置は、日ジャンパ２５３により規正される。日車２５２に設けられた「１」から「３１」の日文字（図示せず）が文字板１１０の窓（図示せず）から「日」を表示するように構成される。変形例として、曜車送り機構を備えた構成では、日回し車に設けられた曜送りつめ（図示せず）により、曜車を１日に１度、（１／７）回転させるように構成することができる。曜車は７日間で１回転するように構成される。曜車の回転方向の位置は、曜ジャンパ（図示せず）により規正される。曜車に設けられた曜日を表す文字（図示せず）が文字板１１０の窓（図示せず）から「曜」を表示するように構成される。
【００２４】
（１・７）日修正機構の構成
次に、日修正機構の構成について説明する。図１及び図４を参照すると、本発明のカレンダ修正機構付き時計において、ムーブメント１００の裏側には、文字板１１０の窓から日車２５２により日の表示を修正するための日修正機構が設けられる。日修正機構は、第１修正伝え車２８１と、第２修正伝え車２８２と、第３修正伝え車２８３と、第４修正伝え車２８４と、第５修正伝え車２５８と、修正車２５９とにより構成される。第２修正伝え車２８２は、第二地板１１２に対して回転可能に支持される。巻真１１８を０段目にした状態で、第１修正伝え車２８１は、巻真１１８の第１修正伝え車案内部１１８ｅに対して回転可能に支持される。すなわち、第１修正伝え車２８１と巻真１１８は、互いに同軸になるように配置される。
【００２５】
第２修正伝え車２８２の回転中心は、日車２５２の歯先円よりも外側に配置される。本発明の実施形態では、第２修正伝え車２８２は巻真１１８の中心軸線にオーバーラップするように配置されるのが好ましい。第２修正伝え車２８２の回転中心は、日車２５２の日表示面２５２ｃと重なる位置に、巻真１１８の中心軸線上に配置されるのが一層好ましい。第２修正伝え車２８２の回転中心は、第１修正伝え車２８１を配置した位置よりも外側に位置する。第３修正伝え車２８３は、第二地板１１２に対して回転可能に支持される。第３修正伝え車２８３の回転中心は、日車２５２の日表示面２５２ｃと重なる位置に配置されるのが好ましい。第４修正伝え車２８４は、第二地板１１２に対して回転可能に支持される。第４修正伝え車２８４の回転中心は、日車２５２の日表示面２５２ｃと重なる位置に配置されるのが好ましい。第５修正伝え車２５８は、第二地板１１２に対して回転可能に支持される。第５修正伝え車２５８の回転中心は、日車２５２の歯先円よりも内側に配置される。修正車２５９の軸部（図示せず）は、第５修正伝え車２５８の軸部（図示せず）に対して回転可能に設けられた揺動レバー２５７のフォーク部に組み込まれる。フォーク部の内側に向かう弾性力により、修正車２５９は揺動して止まったいちにおいて回転できるように構成される。修正車２５９は、第二地板１１２に対して、一定の角度だけ揺動しかつ揺動した位置で回転可能なように支持される。修正車２５９の回転中心は、日車２５２の歯先円よりも内側に配置される。
【００２６】
図５を参照すると、第１修正伝え車２８１は、リング状の本体筒部２８１ｂと、複数の歯部２８１ｃとを含む。図５には、一例として、７つの歯部２８１ｃが示されている。第１修正伝え車２８１は、金属で形成することができるし、プラスチックで形成することもできる。本体筒部２８１ｂは、中心穴２８１ｄと、本体筒部２８１ｂの一方の面に形成された環状帯部２８１ｅと、環状帯部２８１ｅに形成された１つ以上の溝部２８１ｆ、２８１ｇとを有する。図５には、一例として、２つの溝部２８１ｆおよび２８１ｇが示されているが、溝部の数は、１つであってもよいし、２つ以上であってもよい。この溝部を複数設ける場合は、複数の溝部は環状帯部２８１ｅに等間隔（等しい角度をなすような角度間隔）で配置されるのが好ましい。環状帯部２８１ｅは、本体筒部２８１ｂにおいて、ムーブメント１００の内側に配置される方の面に形成されるのが好ましい。溝部２８１ｆおよび２８１ｇは、本体筒部２８１ｂの中心軸線から放射方向に形成されるのが好ましい。
【００２７】
図５および図６を参照すると、修正伝えばね２８０は、ほぼＣ字形に形成されたベース部２８０ｂと、ベース部２８０ｂの一方の端部に対して垂直に形成された位置決め部２８０ｃと、位置決め部２８０ｃの先端に設けられたキー部２８０ｄとを含む。ベース部２８０ｂの開角は１９０度から３５０度であるのが好ましい。ベース部２８０ｂの開角は２４０度から３２０度であるのがさらに好ましい。修正伝えばね２８０は、ステンレス鋼などの弾性材料で形成される。ベース部２８０ｂは、円形のベース内径部２８０ｆを含む。ベース部２８０ｂをＣ字形に形成することにより、ベース部２８０ｂは半径方向外方に広がることができる。修正伝えばね２８０のベース内径部２８０ｆは、第１修正伝え車２８１の環状帯部２８１ｅの外周部に嵌め込まれる。このとき、修正伝えばね２８０の位置決め部２８０ｃは、第１修正伝え車２８１の一方の溝部２８１ｆの中に嵌め込まれる。或いは、修正伝えばね２８０の位置決め部２８０ｃは、第１修正伝え車２８１の他方の溝部２８１ｇの中に嵌め込むこともできる。この状態で、修正伝えばね２８０のキー部２８０ｄは、第１修正伝え車２８１の中心穴２８１ｄの内方に突き出るように構成される。修正伝えばね２８０のベース部２８０ｂが弾性変形可能なので、図５に示す状態において、修正伝えばね２８０のキー部２８０ｄに外方に向かう力を加えると、キー部２８０ｄは半径方向外方に広がることができる。また、修正伝えばね２８０のキー部２８０ｄに力を加えるのをやめると、修正伝えばね２８０のベース部２８０ｂが弾性変形可能なので、キー部２８０ｄは図５に示す初期位置に戻ることができるように構成される。
【００２８】
図７を参照すると、巻真１１８には、きち車案内部１１８ｃ、修正伝達部１１８ｄ、第１修正伝え車案内部１１８ｅが設けられる。１つ以上のキー溝１１８ｋが修正伝達部１１８ｄに設けられる。図７には、一例として、６つのキー溝１１８ｋを含む構造（ただし、図７には、６つのキー溝１１８ｋのうちの３つのキー溝１１８ｋだけを図示している）が示されているが、キー溝の数は、１つであってもよいし、２つ以上であってもよい。キー溝１１８ｋの数は、４〜６個であるのが好ましい。キー溝１１８ｋの数は、偶数個であるのが特に好ましい。キー溝１１８ｋを複数設ける場合は、複数のキー溝１１８ｋが、修正伝達部１１８ｄの外周部に等間隔で（等しい角度をなすような角度間隔で）配置されるのが好ましい。巻真１１８のキー溝１１８ｋの寸法・形状は、修正伝えばね２８０のキー部２８０を受け入れることができるように設定される。複数個のキー溝１１８ｋを巻真１１８に設けることにより、修正伝えばね２８０と巻真１１８とを確実に迅速に連動させることができる。
【００２９】
図１を参照すると、修正伝えばね２８０を組み込んだ第１修正伝え車２８１は、地板１０２に設けられた２つの案内壁部の間に作動可能なように配置される。この場合、修正伝えばね２８０は、第１修正伝え車２８１に対して、ムーブメント１００の中心に近い方の側に配置される。しかしながら、修正伝えばね２８０は、第１修正伝え車２８１に対して、ムーブメント１００の外周部に近い方の側に配置することもできる。地板１０２に２つの案内壁部を設けることにより、修正伝えばね２８０を組み込んだ第１修正伝え車２８１が、巻真１１８の中心軸線方向に移動するのを効果的に制限することができる。
【００３０】
（１・８）日修正機構の作動
以下に、日修正機構の作動について説明する。図１及び図４を参照すると、巻真１１８を０段目にした状態では、前述したように、第１修正伝え車２８１は、巻真１１８の第１修正伝え車案内部１１８ｅに対して回転可能に支持される。この状態で巻真１１８を回転させても第１修正伝え車２８１は回転せず、日修正を行うことはできない。次に、図１、図７および図８を参照すると、巻真１１８を０段目から１段目に引き出すとき、巻真１１８の外側斜面１１８ｎは修正伝えばね２８０のキー部２８０の先端に当たり、修正伝えばね２８０のキー部２８０を半径方向外方に広げる。次いで、修正伝えばね２８０のキー部２８０が外側斜面１１８ｎの上を摺動する状態を経て、修正伝えばね２８０のキー部２８０ｄ巻真１１８のキー溝１１８ｋの中に入るか、巻真１１８の修正伝達部１１８ｄの外周面１１８ｐの上に（キー溝１１８ｋがない外周面の上に）のることができる。巻真１１８に外側斜面１１８ｎを設けることにより、修正伝えばね２８０は容易に巻真１１８の修正伝達部１１８ｄの上を摺動することができ、巻真１１８および修正伝えばね２８０の摩耗を効果的に阻止することができる。
【００３１】
次に、図８を参照すると、巻真１１８を０段目から１段目に引き出した状態では、巻真１１８のキー溝１１８ｋは、修正伝えばね２８０のキー部２８０ｄを受け入れることができる。もし、巻真１１８を１段目に引き出した状態で、巻真１１８のキー溝１１８ｋが修正伝えばね２８０のキー部２８０ｄと合うならば、修正伝えばね２８０のキー部２８０ｄは巻真１１８のキー溝１１８ｋの中に入ることができる。この状態で、巻真１１８を１つの方向に回転させると、第１修正伝え車２８１が回転し、さらに、第２修正伝え車２８２、第３修正伝え車２８３、第４修正伝え車２８４、第５修正伝え車２５８の回転を介して、修正車２５９が１つの方向に揺動して第１の位置で止まり、その第１の位置で修正車２５９が回転して日車２５２を回転させることができるように構成される。巻真１１８を１段目にした状態で、巻真１１８を他の方向に回転させても、日車２５２を回転させることができない。
【００３２】
変形例として、２４時表示車、月表示車、月齢表示車などをを備えた構成では、巻真１１８を０段目から１段目に引き出した状態で、巻真１１８を回転させることにより、当該表示車を修正するように構成することができる。或いは、時修正機構などを備えた構成では、巻真１１８を１段目または２段目または３段目に引き出した状態、或いは、巻真１１８が０段目にある状態で、巻真１１８を回転させることにより、時修正を行うことができるように構成することができる。時修正機構（時差修正機構）については、特開２０００−１４７１４５号公報などに開示されているので、その詳細な説明は省略する。
【００３３】
巻真１１８を１段目に引き出した状態で、巻真１１８のキー溝１１８ｋが修正伝えばね２８０のキー部２８０ｄと合わないならば、巻真１１８の外側斜面１１８ｎは修正伝えばね２８０のキー部２８０ｄの先端に当たり、修正伝えばね２８０のキー部２８０を半径方向外方に広げる。次いで、キー部２８０ｄの先端が巻真１１８の修正伝達部１１８ｄの上に（キー溝１１８ｋがない外周面の上に）のる。この状態で、巻真１１８を回転させると、巻真１１８が第１修正伝え車２８１に対して回転し、巻真１１８のキー溝１１８ｋが修正伝えばね２８０のキー部２８０ｄと合ったとき、修正伝えばね２８０のキー部２８０ｄは巻真１１８のキー溝１１８ｋの中に入ることができる。この状態で、巻真１１８を１つの方向に回転させると、第１修正伝え車２８１が回転し、さらに、第２修正伝え車２８２、第３修正伝え車２８３、第４修正伝え車２８４、第５修正伝え車２５８の回転を介して、修正車２５９が１つの方向に揺動して第１の位置で止まり、その第１の位置で修正車２５９が回転して日車２５２を回転させることができるように構成される。巻真１１８を１段目にした状態で、巻真１１８を他の方向に回転させても、日車２５２を回転させることができないように構成される。巻真１１８を１段目にした状態で、巻真１１８を０段目に押し込むと、巻真１１８のキー溝１１８ｋが修正伝えばね２８０のキー部２８０ｄから離れる。この状態で、巻真１１８を回転させても第１修正伝え車２８１は回転せず、日修正を行うことはできない。
【００３４】
次に、図９を参照すると、巻真１１８を１段目から２段目に引き出した状態では、巻真１１８のキー溝１１８ｋは、修正伝えばね２８０のキー部２８０ｄから離れる。したがって、巻真１１８を２段目にした状態で、巻真１１８を回転させても、日車２５２を回転させることができない。さらに、図１、図７および図８を参照すると、巻真１１８を２段目から０段目に押し込むとき、巻真１１８の内側斜面１１８ｍは修正伝えばね２８０のキー部２８０ｄの先端に当たり、修正伝えばね２８０のキー部２８０ｄを半径方向外方に広げる。次いで、修正伝えばね２８０のキー部２８０ｄは、巻真１１８のキー溝１１８ｋの中に入るか、巻真１１８の修正伝達部１１８ｄの外周面１１８ｐの上に（キー溝１１８ｋがない外周面の上に）のる。巻真１１８に内側斜面１１８ｍを設けることにより、修正伝えばね２８０は容易に巻真１１８の修正伝達部１１８ｄの上を摺動することができ、巻真１１８および修正伝えばね２８０の摩耗を効果的に阻止することができる。さらに、修正伝えばね２８０のキー部２８０ｄの先端は巻真１１８の内側斜面１１８ｍの上を摺動する状態を経て、図１に示す巻真１１８が０段目にある状態になる。巻真１１８に内側斜面１１８ｍおよび外側斜面１１８ｎを設けることにより、修正伝えばね２８０は容易に巻真１１８の修正伝達部１１８ｄの上を摺動することができ、巻真１１８および修正伝えばね２８０の摩耗を効果的に阻止することができる。
【００３５】
（１・９）針合わせの作動
図９を参照すると、巻真１１８を２段目にした状態で、つづみ車２７２の甲歯２７２ａは日の裏車２３０の歯車部と噛合うように構成される。巻真１１８を２段目にした状態で巻真１１８を回転させると、つづみ車２７２が回転し、日の裏車２３０が回転する。日の裏車２３０が回転すると、二番車１２２の筒かなと、筒車２３２とが回転し、時針（図示せず）および分針（図示せず）を回転させて、針合わせ（すなわち、時刻の修正）を行うことができる。さらに、図１、図３、図７および図８を参照すると、巻真１１８を２段目にした状態では、てんぷ規正レバー１４０は、てんぷ１４２の天輪１４２ｃに接触し、てんぷ１４２の回転を規正する。巻真１１８を２段目から０段目に押し込むと、てんぷ規正レバー１４０は、てんぷ１４２の天輪１４２ｃから離れる。したがって、巻真１１８を１段目にした状態および巻真１１８を０段目にした状態では、天輪１４２ｃは自由に回転することができる。
【００３６】
（１・１０）表示車送り機構の構成
次に、表示車送り機構の構成について説明する。図１及び図４を参照すると、必要ならば、本発明のカレンダ修正機構付き時計において、ムーブメント１００の裏側には、曜表示機構、曜修正機構、２４時表示機構、月表示機構、月齢表示機構、クロノグラフ表示機構、ぜんまい巻き状態表示機構などのうちの１つの機構、又は、複数の機構を配置することができる。表示車１９０は第二地板１１２、日車押え１１６に対して回転可能に支持される。表示車１９０の回転中心は、日車２５２の歯先円よりも内側に配置される。本発明の実施形態では、表示車１９０は巻真１１８の中心軸線にオーバーラップするように配置されるのが好ましい。表示車１９０の回転中心は、巻真１１８の中心軸線上に配置されるのが一層好ましい。表示車１９０の真部に取り付けた表示針１９６により、時刻情報、暦情報、ぜんまい巻き状態などを表示することができる。
【００３７】
例えば、表示針１９６により「曜」を表示する場合、裏輪列の回転に基づいて曜表示機構が作動するように構成される。曜表示機構は、筒車２３２の回転により回転する伝達輪列１９２と、伝達輪列１９２の回転により回転する表示車１９０とを含むように構成することができる。この構成では、表示車１９０は１日に１度、（１／７）回転するように構成される。表示車１９０の位置を規正するために、表示車ジャンパを設けるのがよい。或いは、表示針１９６により２４時制（２４時間で１周する２４時針による時刻表示）における「時」を表示する場合、裏輪列の回転に基づいて２４時表示機構が作動するように構成される。２４時表示機構は、筒車２３２の回転により回転する伝達輪列１９２と、伝達輪列１９２の回転により回転する表示車１９０とを含むように構成することができる。この構成では、表示車１９０は２４時間で１回転するように構成される。
【００３８】
図４を参照すると、例えば、表示針１９６によりぜんまい巻き状態を表示する場合、香箱真の回転に基づいてぜんまい巻き状態表示機構が作動するように構成される。ぜんまい巻き状態表示機構は遊星機構１４９と、伝達輪列と、表示車１９０とを含むように構成することができる。遊星機構１４９は、香箱歯車と連動され、かつ香箱歯車の回転を減速させるための減速機構を構成する。遊星機構は、第１太陽車１５０と、第１遊星車１５２と、第２遊星車１５４と、第２太陽車１５６とを含む。第１太陽車１５０は、香箱車１２０の香箱真の下軸部に固定される。第１遊星車１５２は、香箱歯車の底面に対して回転可能に取付けられる。第２遊星車１５４は、香箱歯車の底面に対して回転可能に取付けられる。第２太陽車１５６は、香箱車１２０の香箱真の下方先端軸部に回転可能に取付けられる。第１太陽車１５０は第１遊星車１５２と噛み合うように構成される。第１遊星車１５２は第２遊星車１５４と噛み合うように構成される。第２遊星車１５４は第２太陽車１５６と噛み合うように構成される。香箱歯車が回転すると、第１遊星車１５２は、第１太陽車１５０のまわりを公転しながら自転することができるように構成される。香箱歯車が回転すると、第２遊星車１５４は、第１太陽車１５０のまわりを公転しながら自転することができるように構成される。
【００３９】
第１表示中間車１８０が地板１０２及び日車押え１１６に対して回転可能に支持される。第１表示中間車１８０は第１表示中間歯車と、第１表示中間かなとを有する。第２表示中間車１８２が第二地板１１２及び日車押え１１６に対して回転可能に支持される。第２表示中間車１８２は第２表示中間歯車と、第２表示中間かなとを有する。第３表示中間車１８３が地板１０２及び日車押え１１６に対して回転可能に支持される。第４表示中間車１８４が第二地板１１２及び日車押え１１６に対して回転可能に支持される。第１表示中間歯車は第２太陽車１５６と噛み合うように構成される。第２表示中間歯車は第１表示中間かなと噛み合うように構成される。第３表示中間車１８３は第２表示中間かなと噛み合うように構成される。第４表示中間車１８４は第３表示中間車１８３と噛み合うように構成される。表示車１９０は第４表示中間車１８４と噛み合うように構成される。遊星機構１４９の作動により、第１表示中間車１８０、第２表示中間車１８２、第３表示中間車１８３、第４表示中間車１８４の回転を介して、表示車１９０が回転するように構成される。加えて、他の機能を有する他の表示車（例えば、曜表示車、２４時表示車など）を他の位置に設けることもできる。
【００４０】
（２）第２の実施の形態
次に、本発明の表示修正機構付き時計の第２の実施の形態を説明する。以下の説明は、本発明の表示修正機構付き時計の第２の実施形態が本発明の表示修正機構付き時計の第１の実施形態と異なる点を主に述べる。したがって、以下に記載がない個所は、前述した本発明の表示修正機構付き時計の第１の実施形態についての説明をここに準用する。本発明の表示修正機構付き時計の第２の実施の形態の特徴は、手巻き機構が設けられておらず、巻真の中心軸線上に配置された表示車は設けられていないことにある。本発明の表示修正機構付き時計の第２の実施の形態では、第二地板は設けられていない。しかしながら、本発明の表示修正機構付き時計の第２の実施の形態において、第二地板を設けることもできる。
【００４１】
（２・１）切換機構の構成
最初に、切換機構の構成について説明する。本発明の表示修正機構付き時計の第２の実施の形態では、ムーブメント３００において、時計の時刻を合わせるために、切換機構と、時刻合わせ機構とが設けられている。図１０を参照すると、切換機構は、おしどり３３６と、かんぬき３３７と、かんぬき押え（図示せず）とを含む。おしどり３３６、かんぬき３３７、かんぬき押えは、地板３０２に対して作動可能なように支持される。時刻合わせ機構は、巻真３１８と、つづみ車３７２とを含む。巻真３１８は、先端部から外方部に向かって順番に形成された、先端軸部３１８ａ、角軸部３１８ｂ、第１修正伝え車案内部３１８ｃ、修正伝達部３１８ｄ、中間軸部３１８ｅ、おしどり内壁部３１８ｆ、おしどり受け入れ部３１８ｇ、おしどり外壁部３１８ｈ、などを含む。巻真３１８の修正伝達部３１８ｄのムーブメント３００の内側方向の部分には、内側斜面３１８ｍが設けられるのが好ましい。巻真３１８の修正伝達部３１８ｄのムーブメント３００のの外側方向の部分には、外側斜面３１８ｎが設けられるのが好ましい。巻真３１８の先端軸部３１８ａは地板３０２の巻真先端穴に対して回転可能に支持される。つづみ車３７２の角穴部は巻真３１８の角軸部３１８ｂに組み込まれる。おしどり３３６の巻真接触部は、巻真３１８のおしどり内壁部３１８ｅと、おしどり外壁部３１８ｇとの間に位置する。つづみ車３７２は、ムーブメント１００の中心部に近い方に位置する甲歯３７２ａを備える。
【００４２】
つづみ車３７２には乙歯は設けられていない。ムーブメント３００は、手巻き機構を備えてない。すなわち、ムーブメント３００には、きち車、丸穴車、丸穴伝え車は設けられていない。巻真３１８を０段目にした状態、および、巻真３１８を１段目にした状態では、つづみ車３７２の甲歯３７２ａは日の裏車２３０の歯車部と噛合わないように構成される。巻真３１８を２段目にした状態では、つづみ車３７２の甲歯３７２ａは日の裏車２３０の歯車部と噛合うように構成される。巻真１１８を２段目にした状態で巻真３１８を回転させると、つづみ車３７２が回転し、日の裏車２３０が回転する。日の裏車２３０が回転すると、二番車１２２の筒かなと、筒車２３２とが回転し、時針（図示せず）および分針（図示せず）を回転させて、針合わせ（すなわち、時刻の修正）を行うことができる。
【００４３】
（２・２）日修正機構の構成
次に、日修正機構の構成について説明する。図１０を参照すると、本発明のカレンダ修正機構付き時計において、ムーブメント３００の裏側には、文字板３１０の窓から日車３５２により日の表示を修正するための日修正機構が設けられる。日修正機構は、第１修正伝え車３８１と、第２修正伝え車３８２と、第３修正伝え車３８３と、第４修正伝え車（図示せず）と、修正車（図示せず）とにより構成される。第１修正伝え車３８１の構造は、本発明の時計の第１の実施形態における第１修正伝え車２８１の構造と同様である。修正伝えばね３８０の構造は、本発明の時計の第１の実施形態における修正伝えばね２８０の構造と同様である。修正伝えばね３８０のベース内径部は、第１修正伝え車３８１の環状帯部の外周部に嵌め込まれる。したがって、修正伝えばね３８０を取付けた第１修正伝え車３８１の構造は、本発明の時計の第１の実施形態における修正伝えばね２８０を取付けた第１修正伝え車２８１の構造と同様である（図５参照）。
【００４４】
巻真３１８を０段目にした状態で、第１修正伝え車３８１は巻真３１８の修正伝達部３１８ｄの外周部３１８ｐに対して回転可能に支持される。修正伝えばね３８０を組み込んだ第１修正伝え車３８１は、地板３０２に設けられた２つの案内壁部の間に作動可能なように配置される。この場合、本発明の時計の第１の実施形態の配置とは異なり、修正伝えばね３８０は、第１修正伝え車３８１に対して、ムーブメント３００の外周部に近い方の側に配置される。しかしながら、修正伝えばね３８０は、本発明の時計の第１の実施形態の配置と同じように、第１修正伝え車３８１に対して、ムーブメント３００の中心に近い方の側に配置することもできる。第４修正伝え車の構造は、本発明の時計の第１の実施形態における第５修正伝え車２５８の構造と同様である。修正車の構造は、本発明の時計の第１の実施形態における修正車２５９の構造と同様である。
【００４５】
第２修正伝え車３８２は、日車押え３１６に対して回転可能に支持される。第２修正伝え車３８２の回転中心は、日車３５２の歯先円よりも内側に配置される。本発明の実施形態では、第２修正伝え車３８２は巻真３１８の中心軸線にオーバーラップするように配置されるのが好ましい。第２修正伝え車２８２の回転中心は、日車２５２の日表示面２５２ｃと重ならない位置に、巻真３１８の中心軸線上に配置されるのが一層好ましい。第２修正伝え車３８２の回転中心は、第１修正伝え車３８１を配置した位置よりも内側に位置する。第３修正伝え車２８３は、日車押え３１６に対して回転可能に支持される。第３修正伝え車３８３の回転中心は、日車３５２の歯先円よりも内側に配置される。第３修正伝え車３８３の回転中心は、日車３５２の歯先円よりも外側に配置することもできる。第４修正伝え車は、地板３０２に対して回転可能に支持される。第４修正伝え車の回転中心は、日車３５２の歯先円よりも内側に配置される。修正車は、地板３０２に対して、一定の角度だけ揺動しかつ揺動した位置で回転可能なように支持される。修正車の回転中心は、日車３５２の歯先円よりも内側に配置される。
【００４６】
（２・３）日修正機構の作動
以下に、日修正機構の作動について説明する。図１０を参照すると、巻真３１８を０段目にした状態では、前述したように、第１修正伝え車３８１は巻真３１８の修正伝達部３１８ｄの外周部３１８ｐに対して回転可能に支持される。この状態で巻真３１８を回転させても第１修正伝え車３８１は回転せず、日修正を行うことはできない。次に、図１１を参照すると、巻真３１８を０段目から１段目に引き出すとき、巻真３１８の外側斜面３１８ｎは修正伝えばね３８０のキー部３８０の先端に当たり、修正伝えばね３８０のキー部３８０ｄを半径方向外方に広げる。次いで、修正伝えばね３８０のキー部３８０ｄが外側斜面３１８ｎの上を摺動する状態を経て、修正伝えばね３８０のキー部３８０ｄは巻真３１８のキー溝３１８ｋの中に入るか、巻真３１８の修正伝達部３１８ｄの外周面３１８ｐの上（キー溝３１８ｋがない外周面の上）にのることができる。巻真３１８を０段目から１段目に引き出した状態では、巻真３１８のキー溝３１８ｋは、修正伝えばね３８０のキー部３８０ｄを受け入れることができる。
【００４７】
もし、巻真３１８を１段目に引き出した状態で、巻真３１８のキー溝３１８ｋが修正伝えばね３８０のキー部３８０ｄと合うならば、修正伝えばね３８０のキー部３８０ｄは巻真３１８のキー溝３１８ｋの中に入ることができる。この状態で、巻真３１８を１つの方向に回転させると、第１修正伝え車３８１が回転し、さらに、第２修正伝え車３８２、第３修正伝え車３８３、第４修正伝え車の回転を介して、修正車が１つの方向に揺動して第１の位置で止まり、その第１の位置で修正車が回転して日車３５２を回転させることができるように構成される（図４参照）。巻真３１８を１段目にした状態で、巻真３１８を他の方向に回転させても、日車３５２を回転させることができない。
【００４８】
これに対して、巻真３１８を１段目に引き出した状態で、巻真３１８のキー溝３１８ｋが修正伝えばね３８０のキー部３８０ｄと合わないならば、修正伝えばね３８０のキー部３８０ｄは半径方向外方に広がり、キー部３８０ｄの先端が巻真３１８の修正伝達部３１８ｄの上（キー溝３１８ｋがない外周面の上）に乗ることができる。この状態で、巻真３１８を回転させると、巻真３１８が第１修正伝え車３８１に対して回転し、巻真３１８のキー溝３１８ｋが修正伝えばね３８０のキー部３８０ｄと合ったとき、修正伝えばね３８０のキー部３８０ｄは巻真３１８のキー溝３１８ｋの中に入ることができる。この状態で、巻真３１８を１つの方向に回転させると、第１修正伝え車３８１が回転し、さらに、第２修正伝え車３８２、第３修正伝え車３８３、第４修正伝え車の回転を介して、修正車が１つの方向に揺動して第１の位置で止まり、その第１の位置で修正車が回転して日車３５２を回転させることができるように構成される（図４参照）。巻真３１８を１段目にした状態で、巻真３１８を他の方向に回転させても、日車３５２を回転させることができないように構成される。巻真３１８を１段目にした状態で、巻真３１８を０段目に押し込むと、巻真３１８のキー溝３１８ｋが修正伝えばね３８０のキー部３８０ｄから離れる。この状態で、巻真３１８を回転させても第１修正伝え車３８１は回転せず、日修正を行うことはできない。
【００４９】
次に、図１２を参照すると、巻真３１８を１段目から２段目に引き出した状態では、巻真３１８のキー溝３１８ｋは、修正伝えばね３８０のキー部２８０ｄから離れて、第１修正伝え車３８１は、巻真３１８の第１修正伝え車案内部３１８ｃの上にのる。したがって、巻真３１８を２段目にした状態で、巻真３１８を回転させても、日車３５２を回転させることができない。
【００５０】
（２・４）針合わせの作動
図１２を参照すると、巻真３１８を２段目にした状態で、つづみ車３７２の甲歯３７２ａは日の裏車２３０の歯車部と噛合うように構成される。この状態で巻真３１８を回転させると、つづみ車３７２が回転し、日の裏車２３０が回転する。日の裏車２３０が回転すると、二番車の筒かな（図示せず）と、筒車（図示せず）とが回転し、針合わせを行うことができる。本発明の時計の第２の実施形態において、巻真３１８を２段目から０段目に押し込むときの作動は、前述した本発明の時計の第１の実施形態における作動と同様である。
【００５１】
（２・５）修正伝えばねの他の構成
次に、本発明の時計の第２の実施の形態において、修正伝えばねの他の構成を説明する。以下の説明は、修正伝えばねの他の構成が本発明の時計の第１の実施形態における修正伝えばね２８０と異なる点を主に述べる。したがって、以下に記載がない個所は、前述した本発明の時計の第１の実施形態についての説明をここに準用する。図１３を参照すると、変形例において、修正伝えばね３９０は、ほぼＣ字形に形成されたベース部３９０ｂと、ベース部３９０ｂの一方の端部に対して垂直に形成された第１位置決め部３９０ｃと、ベース部３９０ｂの他方の端部に対して垂直に形成された第２位置決め部３９０ｆとを含む。第１キー部３９０ｄが第１位置決め部３９０ｃの先端に設けられる。第２キー部３９０ｇが第２位置決め部３９０ｆの先端に設けられる。ベース部３９０ｂの開角は１８０度であるのが好ましい。修正伝えばね２８０は、ステンレス鋼などの弾性材料で形成される。本発明の時計の第２の実施の形態における修正伝えばね３９０は、本発明のカレンダ修正機構付き時計の第１の実施の形態に適用することもできる。
【００５２】
ベース部３９０ｂは、半円形のベース内径部３９０ｆを含む。ベース部３９０ｂを半円形に形成することにより、ベース部３８０ｂは半径方向外方に広がることができる。修正伝えばね３９０のベース内径部３９０ｆは、第１修正伝え車２８１の環状帯部２８１ｅの外周部に嵌め込まれる。このとき、修正伝えばね３９０の第１位置決め部３９０ｃは、第１修正伝え車２８１の一方の溝部２８１ｆの中に嵌め込まれ、修正伝えばね３９０の第２位置決め部３９０ｆは、第１修正伝え車２８１の他方の溝部２８１ｇの中に嵌め込まれる。この状態で、修正伝えばね３９０の第１キー部３９０ｄおよび第２キー部３９０ｇは、第１修正伝え車２８１の中心穴２８１ｄの内方に突き出るように構成される。修正伝えばね３９０のベース部３９０ｂが弾性変形可能なので、修正伝えばね３９０の第１キー部３９０ｄに外方に向かう力を加えると、第１キー部３９０ｄは半径方向外方に広がることができる。修正伝えばね３９０の第１キー部３９０ｄに力を加えるのをやめると、修正伝えばね３９０のベース部３９０ｂが弾性変形可能なので、第１キー部３９０ｄは初期位置に戻ることができるように構成される。同様に、修正伝えばね３９０の第２キー部３９０ｇに外方に向かう力を加えると、第２キー部３９０ｇは半径方向外方に広がることができる。そして、修正伝えばね３９０の第２キー部３９０ｇに力を加えるのをやめると、第２キー部３９０ｇは初期位置に戻ることができるように構成される。
【００５３】
この修正伝えばね３９０を用いる場合、巻真には、２つ以上で偶数個のキー溝１１８ｋを修正伝達部１１８ｄに設ける必要がある（図７参照）キー溝１１８ｋの数は、４個又は６個又は８個であるのが好ましい。この構成では、偶数個のキー溝１１８ｋが、修正伝達部１１８ｄの外周部に等間隔（等しい角度をなすような角度間隔）で配置される必要がある。巻真１１８のキー溝１１８ｋの寸法・形状は、修正伝えばね２８０の第１キー部３９０ｄおよび第２キー部３９０ｇを受け入れることができるように設定される。修正伝えばね２８０に複数のキー部を設けることにより、修正伝えばね３９０と第１修正伝え車２８１とを確実に連動させることができる。また、この構成により、修正伝えばね３９０と巻真とを確実に連動させることができる。
【００５４】
（３）第３の実施の形態
次に、本発明の表示修正機構付き時計の第３の実施の形態を説明する。以下の説明は、本発明の表示修正機構付き時計の第３の実施形態が本発明の表示修正機構付き時計の第１の実施形態と異なる点を主に述べる。したがって、以下に記載がない個所は、前述した本発明の表示修正機構付き時計の第１の実施形態についての説明をここに準用する。本発明の表示修正機構付き時計の第３の実施の形態の特徴は、ぜんまい巻き状態表示機構を備えず、日車および日修正機構と、曜車および曜修正機構とを備えたデイ・デイト付き時計であることにある。
【００５５】
（３・１）日送り機構
図１４を参照すると、本発明の表示修正機構付き時計の第３の実施の形態では、ムーブメント４００は、日車４５２と、日送り機構と、日修正機構と、曜車４６０と、曜送り機構と、曜修正機構とを備える。日送り機構は、日回し車４５０と、日回し中間車４５１と、日車４５２とを含む。日を表す文字（図示せず）が日車４５２の日表示面に設けられる。日車４５２は、３１個の歯部４５２ｃを含む。筒車２３２の回転により、日回し中間車４５１が回転するように構成される。日回し中間車４５１の回転により、日回し車４５０が回転するように構成される。日送りつめ４５０ｂが日回し車４５０に設けられる。日回し車４５０が回転すると、日回し車４５０に設けられた日送りつめ４５０ｂにより、日車４５２を１日に１度、（１／３１）回転させるように構成される。日車４５２は３１日間で１回転するように構成される。日車４５２の回転方向の位置は、日ジャンパ２５３により規正される。
【００５６】
（３・２）日修正機構
前述したように、日修正機構は、第１修正伝え車２８１と、第２修正伝え車２８２と、第３修正伝え車２８３と、第４修正伝え車２８４と、第５修正伝え車２５８と、修正車２５９とを含む。巻真１１８を０段目から１段目に引き出した状態で、巻真１１８を第１の方向に回転させると、第１修正伝え車２８１が回転する。第１修正伝え車２８１の回転により、第２修正伝え車２８２の回転を介して第３修正伝え車２８３が回転する。第３修正伝え車２８３の回転により、第４修正伝え車２８４が回転する。第４修正伝え車２８４の回転により、第５修正伝え車２５８が回転する。前述したように、修正車２５９の軸部（図示せず）は、第５修正伝え車２５８の軸部（図示せず）に対して回転可能に設けられた揺動レバー２５７のフォーク部に組み込まれる。フォーク部の内側に向かう弾性力により、修正車２５９は揺動して止まったいちにおいて回転できるように構成される。修正車２５９は、第二地板１１２に対して、一定の角度だけ揺動しかつ揺動した位置で回転可能なように支持される。修正車２５９の回転中心は、日車２５２の歯先円よりも内側に配置される。第５修正伝え車２５８が回転すると、修正車２５９が日車４５２の歯部４５２ｃに近づく第１の方向に揺動して、修正車２５９の歯部が日車４５２の歯部４５２ｃと噛合う第１の位置で止まる。この状態でさらに巻真１１８を前記第１の方向に回転させると、前記第１の位置で修正車２５９が回転し、日車２５２を回転させることができるように構成される。修正車２５９の揺動範囲は、地板に設けられた揺動案内穴（図示せず）により定められる。
【００５７】
（３・３）曜送り機構
図１４、図１５を参照すると、曜送り機構は、日回し車４５０と、日回し中間車４５１と、曜車４６０とを含む。曜車４６０は、曜星車４６０ｂと、曜板（図示せず）とを含む。曜日を表す文字（図示せず）が曜板（図示せず）の曜表示面に設けられる。曜星車４６０ｂは、１４個の歯部４６０ｃを含む。曜送りつめ４５０ｃが日回し車４５０に設けられる。日回し車４５０が回転すると、曜送りつめ４５０ｃにより、曜車４６０を１日に１度、（１／７）回転させるように構成される。曜車４６０は７日間で１回転するように構成される。曜車４６０の回転方向の位置は、曜ジャンパ４６４により規正される。曜車４６０の曜板（図示せず）に設けられた曜日を表す文字（図示せず）が文字板の窓（図示せず）から「曜」を表示するように構成される。
【００５８】
（３・４）曜車修正機構
曜修正機構は、前述した日車修正機構を構成する部品が作動することより作動するように構成される。曜修正機構は、第二地板４１２に回転可能なように配置された曜修正車４７０を含む。曜修正車４７０は、曜修正歯車４７０ａを含む。曜修正歯車４７０ａは曜星車４６０ｂと噛合うように配置される。曜修正伝え歯車４７０ｂは、修正車２５９が日車２５２の歯部から離れる方向に揺動して、修正車２５９と噛合うことができるように構成される。巻真１１８を０段目から１段目に引き出した状態で、巻真１１８を、前記第１の方向と異なる第２の方向に回転させると、第１修正伝え車２８１が回転する。第１修正伝え車２８１の回転により、第２修正伝え車２８２の回転を介して第３修正伝え車２８３が回転する。第３修正伝え車２８３の回転により、第４修正伝え車２８４が回転する。第４修正伝え車２８４の回転により、第５修正伝え車２５８が回転する。第５修正伝え車２５８が回転すると、修正車２５９は日車４５２の歯部４５２ｃから離れる第２の方向に揺動して、修正車２５９の歯部は曜修正伝え歯車４７０ｂと噛合う第２の位置で止まる。この状態でさらに巻真１１８を前記第２の方向に回転させると、前記第１の位置で修正車２５９が回転し、曜修正伝え歯車４７０ｂを回転させることができるように構成される。曜修正車４７０が回転すると、曜修正歯車４７０ａは曜星車４６０ｂを回転させることができるように構成される。この構成により、確実に日修正と曜修正を行うことができ、修正機構を構成する部品の耐久性がよい表示修正機構付き時計を実現することができる。
【００５９】
（４）第４の実施の形態
次に、本発明の表示修正機構付き時計の第４の実施の形態を説明する。以下の説明は、本発明の表示修正機構付き時計の第４の実施形態が本発明の表示修正機構付き時計の第３の実施形態と異なる点を主に述べる。したがって、以下に記載がない個所は、前述した本発明の表示修正機構付き時計の第３の実施形態についての説明をここに準用する。本発明の表示修正機構付き時計の第４の実施の形態の特徴は、アナログ電子時計であって、日車および日修正機構と、曜車および曜修正機構とを備えたデイ・デイト付き時計であることにある。ここで、本発明の表示修正機構付き時計の第４の実施形態において、日車および日修正機構と、曜車および曜修正機構の構成および作用は、上述した本発明の表示修正機構付き時計の第３の実施形態の構成および作用と同じである。したがって、以下にそれらの構成および作用を重複記載することは省略する。
【００６０】
図１６を参照すると、表示修正機構付き時計のムーブメント１１００において、時計の動力源を構成する電池１１７６が、地板１１０２の裏ぶた側に配置される。時計の源振を構成する水晶ユニット１１４０が地板１１０２の裏ぶた側に配置される。例えば、３２，７６８ヘルツで発振する水晶振動子が、水晶ユニット１１４０に収容されている。水晶振動子の振動に基づいて基準信号を出力する発振部（オシレータ）と、発振部の出力信号を分周する分周部（デバイダ）と、分周部の出力信号に基づいてステップモータを駆動するモータ駆動信号を出力する駆動部（ドライバ）とが、集積回路（ＩＣ）１１４２に内蔵される。集積回路（ＩＣ）１１４２は、例えば、Ｃ−ＭＯＳ又はＰＬＡで構成される。集積回路（ＩＣ）１１４２をＣ−ＭＯＳで構成した場合には、発振部と、分周部と、駆動部とは、集積回路１１４２に内蔵される。集積回路（ＩＣ）１１４２をＰＬＡで構成した場合には、発振部と、分周部と、駆動部とは、ＰＬＡに記憶されているプログラムにより動作するように構成される。
【００６１】
水晶ユニット１１４０と集積回路１１４２とは回路基板（図示せず）に固定される。回路基板と、水晶ユニット１１４０と、集積回路１１４２とが回路ブロック１１３８を構成する。回路ブロック１１３８は、地板１１０２の裏蓋側に配置される。磁心に巻いたコイルワイヤを含むコイルブロック１１５０と、コイルブロック１１５０の磁心の両端部分と接触するように配置されたステータ１１５２と、ステータ１１５２のロータ穴に配置されたロータ磁石を含むロータ１１５４とが、地板１１０２の裏蓋側に配置される。コイルブロック１１５０と、ステータ１１５２と、ロータ１１５４とが、ステップモータを構成する。ロータ１１５４の回転に基づいて回転する五番車１１５６が、地板１１０２の裏蓋側に配置される。五番車１１５６の回転に基づいて回転する四番車１１６４が、地板１１０２の裏ぶた側に配置される。四番車１１６４は１分間に１回転するように構成されている。秒針が四番車１１６４に取付けられている。
【００６２】
四番車１１６４の回転に基づいて回転する三番車１１６８が、地板１１０２の裏蓋側に配置される。三番車１１６８の回転に基づいて回転する二番車１１７０が、地板１１０２の裏ぶた側に配置される。分針が二番車１１７０に取付けられている。スリップ機構が二番車１１７０に設けられている。スリップ機構により、針合わせをするときに、秒針を停止させた状態で、巻真１１１０を回転させることにより、分針及び時針を回転させることができる。針合わせをするときに、四番車１１６４又は五番車１１５６を規正して秒針を停止させるために、規正レバー（図示せず）が設けられる。二番車１１７０は１時間に１回転するように構成されている。二番車１１７０の回転に基づいて回転する日の裏車１１２６が、地板１１０２の裏蓋側に配置される。筒車２３２（図１４参照）は、日の裏車１１２６の回転に基づいて回転するように、地板１１０２の文字板側に配置される。筒車２３２の回転により、日回し中間車４５１が回転するように構成される。
【００６３】
本発明の表示修正機構付き時計の第４の実施の形態の作用について説明する。表示修正機構付き時計のムーブメント１１００において、水晶ユニット１１４０に収容された水晶振動子が、例えば、３２，７６８ヘルツで発振する。この水晶振動子の振動に基づいて、集積回路１１４２に内蔵されている発振部が基準信号を出力し、分周部が発振部の出力信号を分周する。駆動部が分周部の出力信号に基づいて、ステップモータを駆動するモータ駆動信号を出力する。コイルブロック１１５０がモータ駆動信号を入力すると、ステータ１１５２が磁化して、ロータ１１５４を回転させる。ロータ１１５４は、例えば、１秒ごとに１８０度回転する。ロータ１１５４の回転に基づいて、五番車１１５６の回転を介して四番車１１６４が１分間に１回転する。三番車１１６８が四番車１１６４の回転に基づいて回転する。二番車１１７０が三番車１１６８の回転に基づいて、１時間に１回転する。日の裏車１１２６が二番車１１７０の回転に基づいて回転する。筒車２３２が日の裏車１１２６の回転に基づいて回転する。筒車２３２は１２時間に１回転する。筒車２３２の回転により、日回し中間車４５１が回転する。日回し中間車４５１の回転により、日回し車４５０が回転する。日回し車４５０に設けられた日送りつめ４５０ｂにより、日車４５２を１日に１度、（１／３１）回転させる。日車４５２は３１日間で１回転するように構成される。日回し車４５０に設けられた、曜送りつめ４５０ｃにより、曜車４６０を１日に１度、（１／７）回転させる。曜車４６０は７日間で１回転する。
【産業上の利用可能性】
【００６４】
本発明は、表示修正機構を構成する部品の耐久性能を向上させた表示修正機構付き時計を提供する。また、本発明は、表示修正機構を構成する部品の構造を簡素化した表示修正機構付き時計を提供する。本発明のカレンダ修正機構は、日車を修正する機構だけでなく、曜表示車、曜車、２４時表示車、月表示車、月齢表示車などを修正する機構や、時修正機構などを含む種々の表示修正機構付き時計に広く適用することができる。本発明の表示修正機構は、機械式時計にも、電気時計にも、アナログ電子時計にも広く適用することができる。
【図面の簡単な説明】
【００６５】
【図１】本発明の表示修正機構付き時計の第１の実施の形態において、巻真が０段目にある状態における巻真の部分を示す部分断面図である。
【図２】本発明の表示修正機構付き時計の第１の実施の形態において、ムーブメントを裏蓋側からみた状態を示す平面図（表平面図）である。
【図３】本発明の表示修正機構付き時計の第１の実施の形態において、一番受を外したムーブメントを裏蓋側からみた状態を示す平面図（表平面図）である。
【図４】本発明の表示修正機構付き時計の第１の実施の形態において、ムーブメントを文字板側からみた状態を示す平面図（裏平面図）である。
【図５】本発明の表示修正機構付き時計の第１の実施の形態において、カレンダ修正伝えばねを取付けたカレンダ修正伝え車を示す斜視図である。
【図６】本発明の表示修正機構付き時計の第１の実施の形態において、カレンダ修正伝えばねを示す斜視図である。
【図７】本発明の表示修正機構付き時計の第１の実施の形態において、巻真のキー溝の部分を示す部分斜視図である。
【図８】本発明の表示修正機構付き時計の第１の実施の形態において、巻真が１段目にある状態における巻真の部分を示す部分断面図である。
【図９】本発明の表示修正機構付き時計の第１の実施の形態において、巻真が２段目にある状態における巻真の部分を示す部分断面図である。
【図１０】本発明の表示修正機構付き時計の第２の実施の形態において、巻真が０段目にある状態における巻真の部分を示す部分断面図である。
【図１１】本発明の表示修正機構付き時計の第１の実施の形態において、巻真が１段目にある状態における巻真の部分を示す部分断面図である。
【図１２】本発明の表示修正機構付き時計の第１の実施の形態において、巻真が２段目にある状態における巻真の部分を示す部分断面図である。
【図１３】本発明の表示修正機構付き時計の第２の実施の形態において、修正伝えばねの変形例を示す斜視図である。
【図１４】本発明の表示修正機構付き時計の第３の実施の形態において、日車を修正するときのムーブメントを文字板側からみた状態を示す平面図（裏平面図）である。
【図１５】本発明の表示修正機構付き時計の第３の実施の形態において、曜車を修正するときのムーブメントを文字板側からみた状態を示す平面図（裏平面図）である。
【図１６】本発明の表示修正機構付き時計の第４の実施の形態において、ムーブメントを文字板側からみたとき、ムーブメントの表側に配置されている部品の状態を示す平面図（裏平面図）である。
【符号の説明】
【００６６】
１００    時計のムーブメント
１０２    地板
１１２    第二地板
１１８    巻真
１１８ｋ  キー溝
１２０    香箱車
１２２    二番車
１２４    三番車
１２６    四番車
１３０    角穴車
１９０    表示車
２１０    回転錘
２３２    筒車
２５２    日車
２５８    第５修正伝え車
２５９    修正車
２８０    修正伝えばね
２８０ｄ  キー部
２８１    第１修正伝え車
２８２    第２修正伝え車
２８３    第３修正伝え車
２８４    第４修正伝え車
【図１】
2005214657.tif 000003
【図２】
2005214657.tif 000004
【図３】
2005214657.tif 000005
【図４】
2005214657.tif 000006
【図５】
2005214657.tif 000007
【図６】
2005214657.tif 000008
【図７】
2005214657.tif 000009
【図８】
2005214657.tif 000010
【図９】
2005214657.tif 000011
【図１０】
2005214657.tif 000012
【図１１】
2005214657.tif 000013
【図１２】
2005214657.tif 000014
【図１３】
2005214657.tif 000015
【図１４】
2005214657.tif 000016
【図１５】
2005214657.tif 000017
【図１６】
2005214657.tif 000018